(57)【特許請求の範囲】
【請求項１】
左右の支持部と取付部で側面形状Ｌ字形の本体１と、背面パネル１１と左右の側面パネル１２を有するパネル体１０を着脱自在に連結し、
前記取付部を高さ調整可能とし、その取付部の上端部を換気扇本体３２に押しつけるようにしたことを特徴とする油飛散防止パネル。
【請求項２】
左右の支持部と左右の取付部で側面形状Ｌ字形の本体１と、この左右の取付部に着脱自在に取付けられる左右の取付用縦材１３に背面パネル１１と左右の側面パネル１２を着脱自在に取付けたパネル体１０で形成し、
前記取付部を高さ調整可能とし、その取付部の上端部を換気扇本体３２に押しつけるようにしたことを特徴とする油飛散防止パネル。
【発明の詳細な説明】
【０００１】
【発明の属する技術分野】
本発明は、調理時にてんぷら油などの油が周囲に飛散しないようにコンロの周囲を覆う油飛散防止パネルに関する。
【０００２】
【従来の技術】
調理時に油が周囲に飛散しないようにする油飛散防止パネルとしては、例えば実用新案登録第３０２１０４０号公報に示すものが知られている。
この油飛散防止パネルは、建具枠に汚れ防護パネルを取付け、この建具枠の左右両側にパネルを開閉可能に取付けたものである。この油飛散防止パネルは、その建具枠をコンロと換気扇間の壁面に取付け、調理時に一対のパネルを開いてコンロの左右両側を覆うことで油の飛散を防止すると共に、調理をしない時には一対のパネルを閉じるように使用される。
【０００３】
【発明が解決しようとする課題】
前述の油飛散防止パネルは調理台と換気扇間の壁面に直接取付ける必要がある。これは油飛散防止パネルの開閉動作をする場合に、スムーズに開閉させるように一対のパネル下部を接触させずに保持する為と、一対のパネルが開の状態で重心位置が前方向にあるため前倒しにならないよう壁面に堅固に取付ける必要がある。
【０００４】
このために、従来の油飛散防止パネルは住宅の新築工事時、もしくはリフォーム等によるキッチンの大幅な変更工事の際に同時に取付けなければならず後付けできない。この結果、従来の油飛散防止パネルは機能的にも優れたものであるにもかかわらず広く普及されていない。また、一対のパネル、防護パネル、その他の部材が容易に着脱出来ないので清掃が困難である。この油飛散防止パネルは油の飛散を防止するものだけにパネル内面は非常に油で汚れるが、従来の油飛散防止パネルでは容易に着脱出来ないために簡易的な拭き掃除が主たる清掃方法となっており、パネルをきれいに清掃できない。そして近代のキッチンは奥行きが深いために調理台よりも奥にある汚れ防護パネルは非常に拭き取りしずらく、いっそう清掃困難なものとなっている。
【０００５】
そこで、本発明は前述の課題を解決できるようにした油飛散防止パネルを提供することを目的とする。
【０００６】
【課題を解決するための手段】
第１の発明は、左右の支持部と取付部で側面形状Ｌ字形の本体１と、背面パネル１１と左右の側面パネル１２を有するパネル体１０を着脱自在に連結し、
前記取付部を高さ調整可能とし、その取付部の上端部を換気扇本体３２に押しつけるようにしたことを特徴とする油飛散防止パネルである。
【０００７】
第２の発明は、左右の支持部と左右の取付部で側面形状Ｌ字形の本体１と、この左右の取付部に着脱自在に取付けられる左右の取付用縦材１３に背面パネル１１と左右の側面パネル１２を着脱自在に取付けたパネル体１０で形成し、
前記取付部を高さ調整可能とし、その取付部の上端部を換気扇本体３２に押しつけるようにしたことを特徴とする油飛散防止パネルである。
【０００９】
【作    用】
第１の発明によれば、本体１の左右の支持部をカウンタートップのコンロ両側部に置くだけで油飛散防止パネルをコンロの近くに設置できる。これによって、簡単に設置できるから、住宅の建築後やリフォーム後に油飛散防止パネルを後付けできるし、どのようなキッチンにも対応できる。
【００１０】
また、本体１からパネル体１０を簡単に取り外しできるから、パネル体１０が油で汚れた場合にはパネル体１０を取り外して別の場所で洗浄できるので、パネル体１０を簡単に、きれいに清掃できる。
また、本体１をカウンタートップと換気扇本体の双方で突っ張り支持して強固に固定できるから、油飛散防止パネルを安定した状態で設置できる。
【００１１】
第２の発明によれば、パネル体１０を背面パネル１１、左右の側面パネル１２に分割できる。これによって、各パネルを単独でキッチンシンク等を利用して洗浄できるから、その洗浄作業がやり易い。
また、本体１をカウンタートップと換気扇本体の双方で突っ張り支持して強固に固定できるから、油飛散防止パネルを安定した状態で設置できる。
【００１３】
【発明の実施の形態】
図１に示すように、本体１は一対のフレーム２を横材３で連結してある。前記フレームは支持部となる横向材４と取付部となる縦向材５でＬ字状で、その左右の横向材４を横材３で連結してある。
つまり、本体１は左右の支持部と左右の取付部を有する側面形状がＬ字形である。
【００１４】
パネル体１０は背面パネル１１と左右の側面パネル１２を備え、このパネル体１０は本体１の左右の縦向材５に着脱自在に取付けられる。具体的には、左右の取付用縦材１３に背面パネル１１が着脱自在に取付けられ、その左右の取付用縦材１３に側面パネル１２が左右方向に回動自在で、かつ着脱自在にそれぞれ取付けてあり、その左右の取付用縦材１３を本体１の左右の縦向材５に着脱自在に取付けられる。側面パネル１２の下端面は横向材４の下面よりも上方に位置している。
【００１５】
次にパネル体１０の取付けの具体形状を説明する。
図２に示すように、本体１の縦向材５は矩形中空断面の長尺材で、その前面の上部寄りと下部寄りに上下方向に長い穴６が形成されて係止受部７を形成している。
【００１６】
左右の取付用縦材１３の背面上部寄りと下部寄りに前記穴６に係止する下向き鉤形状のフック１４が固着されて前記係止受部７に係止する係止部１５としてあり、このフック１４を前記穴６に係止することで取付用縦材１３が縦向材５に着脱自在に取付けられる。
【００１７】
左右の取付用縦材１３の対向した側面の上部寄りと下部寄りに筒体１６がそれぞれ固着してあり、背面パネル１１の左右両端縁の上部寄りと下部寄りに前記筒体１６に上下方向に挿入する縦ピン１７がそれぞれ固着され、この各縦ピン１７を各筒体１６に上から挿入することで背面パネル１１が左右の取付用縦材１３に着脱自在に取付けられる。
【００１８】
前記左右の取付用縦材１３の前面の上部寄りと下部寄りに筒体１８がそれぞれ固着してあり、左右の側面パネル１２の左右一端縁の上部寄りと下部寄りに前記筒体１８に上下方向に挿入する縦ピン１９がそれぞれ固着され、この縦ピン１９を筒体１８に上から挿入することで側面パネル１２は取付用縦材１３に着脱自在で、かつ左右回動自在に取付けられる。つまり、筒体１８と縦ピン１９でヒンジを構成する。
【００１９】
図３に示すように、カウンタートップ２０におけるコンロ２１よりも左右両側部分に左右一対の横向材４の下面を載置すると共に、図示しない換気扇が取付けられた壁面２２に左右一対の縦向材５の背面を当接して本体１をコンロ２１を囲むように載置する。
【００２０】
パネル体１０の左右の取付用縦材１３のフック１４を左右の縦向材５の穴６に係止してパネル体１０を本体１に取付ける。これによって、壁面２２のコンロ２１と対向した部分が背面パネル１１で覆われる。調理時には左右の側面パネル１２を背面パネル１２と直角としてコンロ２１の左右両側を覆って油が周囲に飛散しないようにする。調理をしない時には左右の側面パネル１２を折り畳んでコンパクトとする。
【００２１】
パネル体１０を清掃する時にはフック１４を穴６から外して本体１からパネル体１０を取り外し、取付用縦材１３から背面パネル１１、左右の側面パネル１２を取り外してパネル体１０を分割する。この背面パネル１１、側面パネル１２をキッチンシンク等を利用してブラシ洗浄またはその他の洗浄方法で洗浄する。
【００２２】
前記本体１の取付部となる縦向材５を高さ調整自在とし、その縦向材５の上端部を図３に示す壁面２２に取付けた換気扇本体に押しつけて本体１を換気扇本体とカウンタートップの双方で突っ張り支持するようにしても良い。
【００２３】
例えば、図４に示すように、縦向材５を横向材４と一体となった下部材５ａと、この下部材５ａに上下動自在に嵌合した上部材５ｂで形成し、下部材５ａにねじ穴８を上下方向に間隔を置いて複数形成し、上部材５ｂの下部寄りに設けた固定用ねじ９を１つのねじ穴８にねじ込むことで縦向材５の高さを調整可能とする。
なお、下部材５ａと上部材５ｂとの間にスプリングを設けて上部材５ｂを伸長状態としても良い。
【００２４】
また、図５に示すように、縦向材５の上端部に支持片３０を備えたねじ杆３１をねじ込み、そのねじ杆３１を締付け、弛めることで支持片３０を上下に移動して縦向材５の高さを調整可能とする。
【００２５】
前述のように構成すれば、図６に示すように、本体１の支持部となる横向材４をカウンタートップ２０に押しつけ、取付部となる縦向材５の上端部を換気扇本体３２の下端部に押しつけて本体１をカウンタートップ２０と換気扇本体３２の双方で突っ張り支持して強固に支持することができる。
【００２６】
例えば、ねじ杆３１を弛めて支持片３０を上方に移動して換気扇本体３２の下端部に押しつけることで、横向材４がカウンタートップ２０に押しつけられて双方を利用し突っ張り固定することができるので、非常に安定した状態で本体１を固定でき、側面パネル１２を開閉する時に本体１がぐらつくことがない。
【００２７】
以上の説明では取付部を左右一対としたが、その取付部を１つとして横材３に取付け、この取付部に背面パネル１１を着脱自在に連結しても良い。
【００２８】
【発明の効果】
請求項１に係る発明によれば、本体１の左右の支持部をカウンタートップのコンロ両側部に置くだけで油飛散防止パネルをコンロの近くに設置できる。これによって、簡単に設置できるから、住宅の建築後やリフォーム後に油飛散防止パネルを後付けできるし、どのようなキッチンにも対応できる。
【００２９】
また、本体１からパネル体１０を簡単に取り外しできるから、パネル体１０が油で汚れた場合にはパネル体１０を取り外して別の場所で洗浄できるので、パネル体１０を簡単に、きれいに清掃できる。
また、本体１をカウンタートップと換気扇本体の双方で突っ張り支持して強固に固定できるから、油飛散防止パネルを安定した状態で設置できる。
【００３０】
請求項２に係る発明によれば、パネル体１０を背面パネル１１、左右の側面パネル１２に分割できる。これによって、各パネルを単独でキッチンシンク等を利用して洗浄できるから、その洗浄作業がやり易い。
また、本体１をカウンタートップと換気扇本体の双方で突っ張り支持して強固に固定できるから、油飛散防止パネルを安定した状態で設置できる。
【図面の簡単な説明】
【図１】油飛散防止パネルの組立状態の斜視図である。
【図２】油飛散防止パネルの分解斜視図である。
【図３】設置状態の斜視図である。
【図４】本体の第２の実施の形態を示す斜視図である。
【図５】本体の第３の実施の形態を示す斜視図である。
【図６】設置状態の斜視図である。
【符号の説明】
１…本体、２…フレーム、３…横材、４…横向材（支持部）、５…縦向材（取付部）、５ａ…下部材、５ｂ…上部材、６…穴、７…係止受部、８…ネジ穴、９…固定用ねじ、１０…パネル体、１１…背面パネル、１２…側面パネル、１３…取付用縦材、１４…フック、１５…係止部、１６…筒体、１７…縦ピン、１８…筒体、１９…縦ピン、２０…カウンタートップ、２１…コンロ、２２…壁面、３０…支持片、３１…ねじ杆、３２…換気扇本体。
【図１】
0003994358.tif 000002
【図２】
0003994358.tif 000003
【図３】
0003994358.tif 000004
【図４】
0003994358.tif 000005
【図５】
0003994358.tif 000006
【図６】
0003994358.tif 000007